(57)【要約】【課題】スケール等を用いなくても空気調和機の配管を挿通する為の貫通孔の位置決めが容易にできるようにする据付手段を有する空気調和機を提供する。【解決手段】幅寸法が左右の貫通孔の中心位置の間の距離より短い据付板を利用して貫通孔位置を指示する表示を有する表示補助部材を備え、前記据付板がその側端に前記表示補助部材を利用する為の表示部を有し、前記表示補助部材が空気調和機の一部分を分離可能としたものとする。【選択図】  図１
2005016856.tif 000002
【特許請求の範囲】
【請求項１】
空気調和機の背面の右側若しくは左側の壁に配管を挿通する貫通孔の位置を指示する為の表示部を左右側端部に有する据付板と、この据付板の表示部に組合せて貫通孔の位置を指示する表示部を有する表示補助部材を備え、前記据付板の幅寸法が前記左右に指示される貫通孔中心位置間の寸法よりも小さく、前記表示補助部材が空気調和機の一部分を分離可能としたものであること特徴とする空気調和機。
【請求項２】
請求項１において、前記表示補助部材は、空気調和機の点検用若しくは作業用開口部のカバー部材である空気調和機。
【請求項３】
請求項１若しくは請求項２において、前記表示補助部材は、合成樹脂製である空気調和機。
【請求項４】
請求項１、請求項２若しくは請求項３において、前記表示補助部材に左右の貫通孔位置の各々に対応した複数の表示を有する空気調和機。
【発明の詳細な説明】
【０００１】
【発明の属する技術分野】
本発明は、壁に形成される壁の貫通孔の位置を据付板と表示補助部材により容易に位置決めできるようにした空気調和機に関する。
【０００２】
【従来の技術】
一般的な空気調和機は、圧縮機、室外熱交換機及び減圧器等を有した室外機と、室内熱交換機等を有した室内機により構成され、室外機と室内機とは冷媒配管により連結されて冷媒が循環するようになっている。
【０００３】
この室内機は、室内の壁に固定された据付板に係合させることにより据付けることが多い。従って、壁には冷媒配管を通す貫通孔を設ける必要がある。
【０００４】
第一の従来技術は、かかる貫通孔の形成位置をスケールを用いて位置決めしたり（例えば、特許文献１参照）、第二の従来技術は、据付板に複数マーキングされた位置から垂線、水平線を延伸し、その交点を目測で求めて位置決めしたり（例えば、特許文献２参照）、第三の従来技術は、据付板を壁の貫通孔の中心が含まれる大きさに形成して、貫通孔の位置を示す孔叉は切欠きを予め設けておく（例えば、特許文献３、４参照）こと等により行われている。
【０００５】
【特許文献１】
特開平１０−１１０９６９号公報（２−３頁、図１）
【特許文献２】
特開２０００−８８３３９号公報（４頁、図３）
【特許文献３】
特開平７−２６０２４５号公報（２頁、図１）
【特許文献４】
特開平２００１−９１０４３号公報（２頁、図１）
【０００６】
【発明が解決しようとする課題】
しかしながら、第一の従来技術の場合は、スケールを準備する必要があることは勿論、目盛りを読みとって印を付けなければならないことから、多くの場合のように室内機が天井や横方向の壁に近接して据付ける場合は窮屈な作業姿勢で印を付けることとなり、作業性が悪い。また、第二の従来技術の場合は、マーキング位置を利用した目測の為、誤差が起きる可能性が多く、金属製の舌状片を手で折り曲げるため舌状片の端面で手を傷付ける恐れもある、更に空気調和機を移設する場合に、一度目の据付時に折り曲げ、折り戻した舌状片を再度折り曲げて使用するため折り曲げ部が脆くなり破断する恐れがある等の問題があった。
【０００７】
また、第三の従来技術のように、据付板を貫通孔の中心が含まれるような大きな寸法にする場合には、部材コストを上昇させると共に、据付板が重くなるため作業性が悪くなる問題があった。
【０００８】
更に、空気調和機には冷媒配管とドレン配管が必要であり、これらの配管を挿通する貫通孔は、据付けた後の美観上から、室内機で隠される壁の部分に開けるのが望ましい。他方、冷媒配管は金属製であるため据付け作業時の成形をできるだけ少なくすることが求められ、このため空気調和機の冷媒配管の引き出し位置に合わせて、壁に貫通孔をあける必要がある。その後、冷媒配管を挿通し、貫通孔を抜けたところで冷媒配管を接続する。この場合貫通孔の位置がずれてしまうと、短い距離で金属製の冷媒配管を曲げることになり、大変に困難な作業となったり、貫通孔が室内機で隠されなくなり美観が損なわれたりする。一方ドレン配管は可撓性の良い樹脂製のホースが使用されるので比較的自由に配管できるが、ドレン水が溜まらないように下り勾配で配管しなければならない。この場合も貫通孔の位置がずれてしまうと、部分的な上り勾配ができてドレン水が溜まったり、貫通孔が室内機で隠されなくなり美観が損なわれたりする。この為、貫通孔の位置を正しく指定する必要がある。
【０００９】
しかし、その指定場所に貫通孔をあけると不都合なことが起きる場合があり、その場合は、やむを得ず別の位置に貫通孔をあけるが、冷媒配管のような金属配管用の貫通孔の場合は、貫通孔の位置を室内機の反対側の一番遠い所にして、冷媒配管成形の自由度を最大限にしておくのが良い。これは金属製の冷媒配管は急に曲げると折れたりして、冷媒の流れが阻害され所期の能力を発揮できなくなるため、その成形には十分注意をしなければならないためである。この場合、冷媒配管の接続は室内機を据付板に引っ掛けた状態で室内機の背面で行い、接続後、室内機を固定する。この場合も貫通孔の位置がずれてしまうと、冷媒配管の接続部から貫通孔までの短い距離で金属製の冷媒配管を曲げることになって据付け作業が難渋したり、貫通孔が室内機で隠されなくなり美観が損なわれたりする。
【００１０】
しかしながら、室内機自体も、ますます小型化されてきており、その結果、当然のことながら、その貫通孔をあけることのできる範囲は狭くなり、貫通孔の位置を正確に求めることが更に重要なこととなる。
【００１１】
これらの冷媒配管、ドレン配管は各々専用の貫通孔を開けても良いし、他の配管と共用の貫通孔として貫通孔の数を少なくしても良い。
【００１２】
以上のことから、本発明の目的は、据付板の大きさを小さくすると共に、スケール等の計測器具を準備する必要や目測によらずに壁孔の形成位置の位置決めを可能とする空気調和機を提供することにある。
【００１３】
【課題を解決するための手段】
上記目的は、幅寸法が左右に指示される貫通孔の中心位置の間の距離より小さい据付板と、これを利用して貫通孔位置を指示する表示を有する表示補助部材を備え、前記据付板がその側端に前記表示補助部材を利用する為の表示部を有し、前記表示補助部材が空気調和機の一部分を分離可能としたものとすることにより達成される。
【００１４】
これにより、据付板を小型軽量化できると共に、目測やスケール等に頼ることなく貫通孔の位置決めが容易にできるようにし、かつ、移設にも支障を起こさずに貫通孔の位置決めができる。
【００１５】
特に、上記表示補助部材を空気調和機の点検用若しくは作業用開口部のカバーと兼用する。
【００１６】
これにより、使用後は確実に空気調和機に取り付けて保管され、後日の移設の時も再び利用することができる。
【００１７】
また、上記表示補助部材の材質を合成樹脂製にする。これにより、据付作業時の表示補助部材の取扱で怪我をする恐れが少なくなる。
【００１８】
さらに、表示補助部材に左右の配管貫通孔位置に対応した判読しやすい複数の表示を施した。これにより、貫通孔の位置を室内に対して左右いずれにも形成できるようにした。
【００１９】
【発明の実施の形態】
以下の実施例では、冷媒配管とドレン配管を一緒の貫通孔に挿通する場合に、室内機の右側に貫通孔を設ける場合の右貫通孔位置と、室内機の左側に貫通孔を設ける場合の左貫通孔位置を求めるのに好適な空気調和機について説明する。
【００２０】
本発明の実施の形態を図を参照して説明する。図２は本発明に係る空気調和機の室内機１０の斜視図である。１１は室内機１０の外筐の一部を構成し、点検用若しくは作業用開口部をカバーする合成樹脂製のカバー部材で、室内機１０から簡単に取り外して、そこに生ずる点検用開口から室内機１０の内部を点検または手直し等の作業ができるようになっている。室内機１０を納まり良く据付板２０に取り付ける為、室内機１０を据付板２０に引っ掛けた後、このカバー部材１１を取り外した部分から、冷媒配管１８、ドレン配管１９等を点検したり、手直し等の作業をすることができる。
【００２１】
図３は取り外したカバー部材１１の斜視図であり、カバー部材１１の内側には右貫通孔位置表示１２と左貫通孔位置表示１３が附されて表示補助部材を構成している。この右貫通孔位置表示１２と左貫通孔位置表示１３は貫通孔を室内機１０の右側にあけるか、左側にあけるかによって、据付板２０に当接するカバー部材１１の向きが変わりこのカバー部材１１の向きに応じて、貫通孔位置表示が判読しやすいように附され、実施例では右貫通孔位置表示１２は図３のカバー部材１１の手前側から見て正立して附され、左貫通孔位置表示１３は図３のカバー部材１１の手前側から見て倒立して附されている。
【００２２】
このようにすることにより、上記の複数の表示の内、正しい表示が貫通孔位置を求める為に前記カバー部材を利用する時に判読しやすくなり、据付作業時に間誤付くこともなく、円滑な作業ができる。
【００２３】
図４は当該室内機１０を据付板２０を使用して壁３０に取り付けた断面図である。室内機１０には熱交換器１７、送風機１４等が内蔵され、貫通孔を通して冷媒配管１８で室外機（図示せず）と接続され、周知の空気調和機能を発揮する。１９はドレン配管であり、冷却運転時に生ずるドレン水を排出する。
【００２４】
また、図５は当該室内機１０の据付板２０である。据付板２０を壁３０に固定し、冷媒配管１８、ドレン配管１９を貫通孔に挿通して、室内機１０の上係合部１５を据付板２０の上係合片２３に引っ掛け、室内機１０の下係合部（図示せず）を据付板２０の下係合片２４に係合させて固定する。据付板２０の左右の側端面には室内機１０の背面の右側または左側の壁３０に冷媒配管１８、ドレン配管１９を挿通する右貫通孔３１または左貫通孔３２を開ける位置を指示するのに利用する右貫通孔マーク２１と左貫通孔マーク２２が刻印で附されている。
【００２５】
また、据付板２０の鉛直方向中央線上には、据付板２０の固定に先立ち、据付板２０の位置調整時に使用する仮止孔２５や、据付板２０を壁３０にネジ止めする際の固定用の貫通孔２６が複数適宜箇所に形成されている。無論、図示した貫通孔２６の全てを用いてネジ止めしなければならないということはなく、間柱等の間隔に合わせて適宜選択して用いればよい。
【００２６】
このようにすることにより、第二の従来技術のように、舌状片を形成するため据付板に長い切込みを設けていないので、切込みによる強度低下がなく、強度低下を補うための据付板の取付壁への固定点を多くする必要もなくなり、据付作業の煩雑さが軽減される。
【００２７】
図１は据付板２０とカバー部材１１（表示補助部材）を用いて右貫通孔３１または左貫通孔３２の形成位置をマークする際の手順を示す説明図である。なお、図１において室内機１０、右貫通孔３１及び左貫通孔３２と据付板２０、カバー部材１１との位置関係を明確にするためこれらを破線で示している。
【００２８】
据付板２０の取付位置から右貫通孔３１または左貫通孔３２の位置を割り出すには、右貫通孔３１を開ける場合は図６の如くにカバー部材１１の端面を据付板２０の右貫通孔マーク２１に当てて、カバー部材１１に正立して附された右貫通孔位置表示１２の指示する位置を求めると、その位置が右貫通孔３１の中心となる。同様に左貫通孔３２を開ける場合は図７の如くにカバー部材１１の端面を据付板２０の左貫通孔マーク２２に当てて、カバー部材１１に正立して附された左貫通孔位置表示１３の指示する位置を求めると、その位置が左貫通孔３２の中心となる。実施例では貫通孔中心の表示が正立して判読しやすくなっているが、この表示が多少斜めになっていても、判読可能であれば同様の効果を発揮することは言うまでも無い。
【００２９】
なお、据付板２０とカバー部材１１との当接位置を調整して、右貫通孔位置表示１２と左貫通孔位置表示１３をカバー部材１１の上で同じ位置にすることができる。この場合は敢えて複数の表示を施して、表示を煩雑にするよりは、単純なまたは工夫した単一の表示にする方法も考えられる。
【００３０】
これにより据付板２０の幅は貫通孔の位置にとらわれないで、室内機１０を据付、固定できる最小限の大きさにすることができて、第三の従来技術のように、据付板を貫通孔の中心が含まれるような大きな寸法にする必要がなくなり、部材コストを低減できると共に、据付板が軽くなるため作業性が向上する。
【００３１】
また、第一の従来技術のようにスケールや物差しを使用したり、第二の従来技術のように目測で貫通孔位置を求め、筆記具あるいはケガキ具を使用して印を付けるのと違って、スケール等の計測器具や目測を用いずに貫通孔の形成位置決めができるので据付作業が容易になる。
【００３２】
更にまた、貫通孔の位置を指示する部材として、据付作業の時に点検、作業の為に取り外すカバー部材を用いることで、新たな部材を用意すると言う余分な手間がかからず、据付作業が終わった後は、室内機の外観に関する部分なので、使用後は確実に室内機に取り付けられ、紛失が防止され、後日の移設の時も再び利用することができる。
【００３３】
更にまた、カバー部材の材質を合成樹脂製にしたので、内面側の表示をカバー部材の成形時に同時に行うことができコストを低減できると共に、金属に較べて柔らかく、また第二の従来技術のように薄い据付板を折り曲げ、折り返すこともないので、据付作業時の取扱いで怪我をする恐れが少なくなり、安全性の向上が可能となる。
【００３４】
上述したように、空気調和機の背面の右側若しくは左側の壁に配管を挿通する貫通孔の位置を指示する為の表示部を左右側端部に有する据付板と、この据付板の表示部に組合せて貫通孔の位置を指示する表示部を有する表示補助部材を備え、前記据付板の幅寸法が前記左右に指示される貫通孔の中心位置間の寸法よりも小さく、前記表示補助部材が空気調和機の一部分を分離可能としたものとしたことにより、従来のような金属板に切込みを設けた場合のような強度低下がなく、据付作業の煩雑さが軽減される。
【００３５】
また、これにより据付板２０の幅を小さくすることができ、部材コストを低減できると共に、据付板が軽くなるため作業性が向上する。
【００３６】
更に、貫通孔の形成位置決めにあたり、目測の場合のように作業者の勘に頼った位置決めでは作業者によっては不正確になっていたがこれを解消でき、また、スケール等の器具を別に用意する必要がなしに貫通孔の位置決めが容易にでき、かつ、移設にも支障を起こさずに貫通孔を形成するための位置決めができるようになり、作業性の向上が可能となる。
【００３７】
なお、実施例では表示補助部材としてカバー部材を用いたが、カバー部材以外でも大きさ、形状、着脱の容易さなどの条件が合えば、カバー部材以外の部材でも支障はなく、所定の表示を施して貫通孔位置の決定に用いることができることは言うまでもない。
【００３８】
上記表示補助部材を空気調和機の一部分（空気調和機の点検用若しくは作業用開口部のカバー部材）と兼用することにより、貫通孔形成後には確実に室内機に取り付け戻されるので、紛失を防止し、また後日の移設の時も再び利用することができると共に、コストも低減できる。
【００３９】
また、表示補助部材の材質を合成樹脂製にすることにより、据付作業時に怪我をする恐れが極めて小さくなり、安全性の向上ができる。
【００４０】
また、表示補助部材に左右の貫通孔位置の各々に対応した複数の表示を施して判読しやすくしたことにより、据付作業時に余分な情報が入らず、貫通孔の位置を左右いずれにしても円滑な作業ができる。
【００４１】
【発明の効果】
以上説明したように、本発明によれば、据付板の大きさを小さくできると共に、スケール等の計測器具を準備する必要がないと共に、目測によらずに壁孔の形成位置の位置決めを可能とする空気調和機を提供することが出来る。
【図面の簡単な説明】
【図１】本発明の実施例に係る貫通孔の位置決め方法の説明図。
【図２】本発明の実施例に係る空気調和機の室内機の斜視図。
【図３】本発明の実施例に係る空気調和機の室内機のカバー部材。
【図４】本発明の実施例に係る空気調和機の室内機を据付板を使用して壁に取り付けた断面図。
【図５】本発明の実施例に係る空気調和機の室内機の据付板。
【図６】本発明の実施例に係る右側貫通孔の位置決め方法を示す図。
【図７】本発明の実施例に係る左側貫通孔の位置決め方法を示す図。
【符号の説明】
１０…空気調和機、１１…カバー部材、１２…右貫通孔位置表示、１３…左貫通孔位置表示、１４…送風機、１５…上係合部、１７…熱交換器、１８…冷媒配管、１９…ドレン配管、２０…据付板、２１…右貫通孔マーク、２２…左貫通孔マーク、２３…上係合片、２４…下上係合片、２５…仮止孔、３１…右貫通孔、３２…左貫通孔。
【図１】
2005016856.tif 000003
【図２】
2005016856.tif 000004
【図３】
2005016856.tif 000005
【図４】
2005016856.tif 000006
【図５】
2005016856.tif 000007
【図６】
2005016856.tif 000008
【図７】
2005016856.tif 000009